(57)【要約】【課題】腕の力の弱い女性が狭いベランダに敷布団を干す時、裏返したり取り込む際にたいへんだった。かといって、その都度、補助道具を用意するのは面倒であるし、手すりにつけっぱなしの補助器具を使用してもその都度汚れをふきとるのが面倒である。  本発明は、以上の問題点を解決するための布団干し便利サンダルを提供する。【解決手段】サンダルの、足の甲を止めるバンドまたは底板に、床からみて上向きに突き出た棒状または板状の部位を設けたことを特徴とする布団干し便利サンダル。【選択図】図１
2019126690.tif 000002
【特許請求の範囲】
【請求項１】
サンダルの、足の甲を止めるバンドまたは底板に、床からみて上向きに突き出た棒状または板状の部位を設けた、布団干し便利サンダル。
【請求項２】
既製サンダルのバンドまたは底板に取り付けることができるようになっている、床からみて上向きに突き出た棒状または板状の部位。
【請求項３】
サンダルの、足の甲を止めるバンドに、または底板から床からみて上向きに突き出た棒状または板状のものに、多面体または多面体に似た形状の部位を設けた、布団干し便利サンダル。
【発明の詳細な説明】
【技術分野】
【０００１】  本発明は、ベランダやテラスに干した敷布団を裏返したり取り込んだりする際に便利な布団干し便利サンダルに関するものである。
【背景技術】
【０００２】  先行技術として、布団全面を干すことができる布団干し器具がある（特許文献１参照）。さらに、ベランダに干した布団の裏返しを補助する器具がある（特許文献２及び３並びに４参照）。
【先行技術文献】
【特許文献】
【０００３】
【特許文献１】特開２０１４−２２６５２１号公報
【特許文献２】特開２００６−７５３８２号号公報
【特許文献３】特開２００４−２５５１３６号公報
【特許文献４】特開２００４−１６６８５０号公報
【発明の概要】
【発明が解決しようとする課題】
【０００４】  ベランダやテラスは屋外に出ており、ベランダやテラスの床は外からのほこりが積もるため、そこに布団の一部が接するとその部分が汚れてしまう。
ベランダやテラスに干した敷布団を裏返したり取り込んだりする際はベランダやテラスの床に敷布団の一部が接しないように常に宙に浮かせておかなくてはならない。
敷布団は比較的固いため、掛布団のように容易に丸めたり折りたたんだりすることができない。
まず、敷布団を裏返す場合について考える。
この場合には、手すりの上で敷布団を裏返したり、手すりから敷布団全体をいったんはずして宙に浮かせたまま裏返して再度干すことになるが、腕の力の弱い女性にとってはたいへんな動作である。
次に、敷布団を取り込む場合について考えてみる。
この場合には、干している敷布団を、ベランダやテラスの手すりに接している敷き布団の箇所に両脇から手を入れ少し持ち上げ、持ち上げた高さを維持したまま、そのまま後ろに後退するかその場で体を横向きにして、敷布団のベランダやテラスの外側に出ている部分をベランダやテラスの内側に入れなくてはならない。この時、奥行きが狭いベランダやテラスでは、十分に後退できないし、また体を横向きにするにしてもベランダやテラスの壁面や窓あるいは家屋の壁面に敷布団がこすれないように十分に注意しなくてはならず、腕の力の弱い女性にとってはたいへんな動作である。
先行技術として、布団全面を干すことができる布団干し器具があるが、せっかくベランダやテラスに手すりがもともと設置されているのに、わざわざ布団干し器具を設置するのはじゃまである。
先行技術として他にも、干した布団の裏返しを補助する器具があるが、わざわざ補助器具をその都度用意するのは面倒であるし、手すりに器具をつけっぱなしではその器具が汚れてしまい布団干しの前にその汚れを拭きとらなくてはならず面倒である。
本発明は、以上の問題点を解決するためになされたものである。
【課題を解決するための手段】
【０００５】  サンダルの、足の甲を止めるバンドまたは底板に、床からみて上向きに突き出た棒状または板状の部位を設ける。
以上の構成よりなる布団干し便利サンダル。
【発明の効果】
【０００６】  奥行きが狭いベランダやテラスにおいても、本発明を使用することにより、腕の力の弱い女性でも、ベランダやテラスの床、またはベランダやテラスの窓の外側や家屋の壁で敷布団を汚してしまうことなく、敷布団を裏返したり取り込んだりことができる。
【図面の簡単な説明】
【０００７】
【図１】バンドに棒状の部位を設けた場合の本発明の斜視図
【図２】バンドに板状の部位を設けた場合の本発明の斜視図
【図３】底板に棒状の部位を設けた場合の本発明の斜視図
【図４】底板に板状の部位を設けた場合の本発明の斜視図
【発明を実施するための形態】
【０００８】  以下、本発明の実施の形態を説明する。
（ア）ベランタやテラスで使用する一般的な形態である、足の甲を止める幅広いバンド（１）と底板（２）のみで構成されているサンダルを左右で一組用意する。なお、このサンダルのバンド（１）については、布やビニールのような柔軟性のある素材ではなく、変形したら元の形に戻ろうとする力がある程度ある素材のものとする。
（イ）バンド（１）の、足の甲から見て外になる面に、床からみて垂直上向きまたは斜め上向きに突き出た、硬質の素材でできた棒状の部位を設ける。この棒状の部位が、敷布団を受ける受け棒（３）になる。
受け棒（３）については、つま先部分に近いほど長さが長くなるようにし、左右どちらのサンダルにも複数ずつ設け、図１に示すようになるようにする。
なお、受け棒（３）のかわりに、硬質の素材でできた板状の部位を、バンド（１）の外になる面に設ける場合もある。そして、この板状の部位が、敷布団を受ける受け板（４）になる。受け板（４）の平面が床から見て垂直上向きまたは斜め上向きに突き出るように設ける。
受け板（４）については、受け板（４）とバンド（１）との交線が、つま先部分からかかと部分にかけて走るような向きで設け、さらに、ベランダやテラスの床にサンダルを置きそれを真横から見た際に、受け板（４）の上縁が、つま先からかかとに向かって下降線を描くように設け、図２に示すようになるようにする。
受け板（４）について、左右それぞれ一枚ずつでも複数枚ずつでもどちらてもよいが、左右それぞれどちらのサンダルにも設ける。
（ウ）上記の（イ）で述べた硬質の受け棒（３）または硬質の受け板（４）を、バンド（１）ではなく、底板（２）の、バンド（１）が接着している二か所の部分またはその付近部分にそれぞれ、床からみて垂直上向きまたは斜め上向きに突き出るように設ける場合がある。
この場合で、受け棒（３）を設ける場合には、底板（２）の、バンド（１）が接着している二か所の部分またはその付近部分にそれぞれ複数ずつ設け、かつつま先部分に近いほど長さが長くなるように設け、図３にて示すようになるようにする。
受け板（４）を設ける場合には、受け板（４）の平面が床から見て垂直上向きまたはななめ上向きに突き出るように設け、かつその平面が底板（２）の外縁に沿うように設け、さらに、ベランダやテラスの床にサンダルを置きそれを真横から見た際に、受け板（４）の上縁が、つま先からかかとに向かって下降線を描くように設け、図４で示すようになるようにする。
（エ）上記の（イ）及び（ウ）で述べたいずれかの構造ではなく、左右それぞれのサンダルのバンドの、つま先に近い方の縁に沿って、床からみて垂直上向きまたは斜め上向きに、硬質の板状の部位または硬質の棒状の部位を設ける場合がある。
（オ）上記の（イ）または（ウ）における受け棒（３）や受け板（４）を、（ア）で述べた一般的な既製サンダルに取り付けることができるようにする場合がある。
複数の受け棒（３）または受け板（４）が設置されている、硬質であり断面がゆるやかな曲線を描いているシートを、両面テープまたは小さな釘あるいはクリップなどでバンド（１）の外側の面に張り付ける。小さな釘で張り付ける場合には、釘の先端がバンド（１）の外側の面に短く突き出るようにする。
このシートをバンド（１）に張り付ける際には、受け棒（３）の場合には長い方の受け棒（３）がつま先に近くになるようにする。受け板（４）の場合には、床にサンダルを置きそれを真横から見た際に受け板（４）の上縁がつま先からかかとに向かって下降線を描くようになるようにする。
（カ）バンド（１）の、足の甲からみて外側でありかつ床からみて上向きになる面に、底面が床と平行であり、四つの側面が床と垂直である、すべての面が四角形である六面体の部位を設ける場合がある。この場合、底面と向き合う上面については、サンダルを床に置きそれを横から見た際に断面図がつま先方向の頂点からかかと方向の頂点に向かって下降線を描くようにする。
また、以上で述べた六面体の部位を、バンド（１）でなく、底板（２）の、バンド（１）が接着している二か所の部分またはその付近部分から上向きに突き出るように設けたそれぞれ一枚ずつの同じ形の板状のものまたはそれぞれ二本以上ずつの同じ形の棒状のものに、それらの板状の物または棒状の物を橋渡しするようにして、バンド（１）の上に浮いている形になるように設ける場合もある。
なお、以上で述べた六面体の部位の上面には、複数の線形の隆起、または複数の突起を設け、敷布団の下縁がその六面体の部位の上面に接する際の面積がきわめて小さくなるようにする。
あるいは、以上で述べた六面体の部位の上面に線形の隆起や突起を設けない構造であることもあるが、その構造の時は、六面体の部位の上面に汚れがつかないように屋内に保管するか、本発明使用時以外には六面体の部位の上面にかぶせておく、その上面の一辺と回転軸で接続しているふたを設けることにする。
なお、以上で述べた六面体の部位については、それ以外の面数にして六面体以外の多面体の部位にしたり、または六面体やそれ以外の多面体のそれぞれの頂点を丸めるなどして多面体に似た形状の部位とすることもある。
以上で述べた多面体または多面体に似た形状の部位を、敷布団の下縁をのせる載せ台とする、
本発明は以上の（ア）から（カ）のような構造である。なお、同じ一つのサンダルに設けた複数の受け棒（３）または受け板（４）に橋渡しするように棒や板を設け、受け棒（３）または受け板（４）の強度を増すようにする構造である場合もある。
次に、本発明の使用方法については、以下の（キ）から（サ）のとおりである。
なお、本発明を使用することで、敷布団を裏返したり取り込む際にいったん敷布団の下縁を足元に置くことができるため、動作が楽になる。
（キ）まず、本発明を、バンドで足の甲が止まるように履く。
（ク）ベランダやテラスの手すりに干してある敷布団のすぐそばに体を寄せ、軽く両足の間隔を開き、布団はさみをはずし、ベランダやテラスの手すりに接している敷き布団の箇所に両脇から手を入れ少し持ち上げる。
（ケ）敷布団を手前の下に少しずり降ろし、敷布団のベランダやテラスの内側になっている部分の下縁を、（イ）と（ウ）と（オ）の場合には受け棒（３）の先端か受け板（４）の上縁に、（エ）の場合にはバンド（１）の外側の面に、（カ）の場合には多面体または多面体に似た形状の部位の上面に、のせて、両手を敷布団のもともとつかんでいた箇所より少し上の箇所に持ちかえる。
ベランダやテラスのサンダルは屋外に出したままにしておくため、バンド（１）には外のほこりなどが付着してしまう。受け棒（３）や受け板（４）の敷布団に接する面積は非常に小さいため、敷布団に目につくほどの汚れがついてしまうことはない。ただ、（エ）の場合には敷布団の下縁がバンドにのるため、敷布団に目につくほどの汚れがついてしまうことはあるが、サンダルを屋内に保管すればよい。
（コ）敷布団の下縁を（ク）で述べたところにのせて両手でつかんだまま、小さな歩幅で数歩後退する。そして、片手を敷布団からはなし、敷布団の、手すりの外側に出ている部分をそのはなした手で引き寄せ、敷布団の全体を手すりの内側に入れる。敷布団の全体が手すりの内側に入ったら、はなしていた手で再び敷布団の脇を持つ。
敷布団の、テラスの外側から引き寄せた部分の下縁は宙に浮いており、床につかない。
（サ）敷布団を少し持ち上げて、（ク）で述べたところから敷布団の下縁をはなし、敷布団の今まで干していた面の裏面を干すか、または屋内に取り込む。
【符号の説明】
【０００９】  １  バンド、２  底板、３  受け棒、４  受け板
【図１】
2019126690.tif 000003
【図２】
2019126690.tif 000004
【図３】
2019126690.tif 000005
【図４】
2019126690.tif 000006